(57)【要約】      （修正有）【課題】高特性なカラーホイール駆動用モータを提供する。【解決手段】カラーホイール駆動用モータは、ロータホルダの径方向外方に配置され、ロータホルダと共に回転するリング状マグネット１０を有する。磁気的位置検出機構９はリング状マグネット１０から受ける磁束からロータホルダの回転位置を検出する。リング状マグネットは、周方向に交互に配列されるｎ個のＮ極とｎ個のＳ極とを有し、隣り合うＮ極とＳ極の間に２ｎ個の磁極切替わり部が形成される。中心軸に垂直な仮想平面において、中心軸と２ｎ個の磁極切替わり部のうち、少なくとも１つの磁極切替わり部とを通る第一直線と、中心軸からリング状マグネットに延びる第二直線とにより、所定の角度θがなされる。リング状マグネットの表面において、第二直線とリング状マグネットとが重なる部位に第一標識が設けられる。【選択図】図５
2014050314.tif 000002
【特許請求の範囲】
【請求項１】
カラーホイール駆動用モータであって、
中心軸周りを回転し、前記中心軸に沿って延伸するシャフトと、前記シャフトに間接的または直接的に固定されるロータホルダと、を含む回転体と、
前記ロータホルダの回転位置を検出するように前記ロータホルダの周辺に配置される磁気的位置検出機構を含む静止体と、
を備え、
前記モータは、前記ロータホルダの径方向外方に配置され、前記ロータホルダと共に回転するリング状マグネットを有し、
前記リング状マグネットは、前記中心軸に沿い、かつ、互いに略平行な第一端面および第二端面を有し、
前記リング状マグネットは、周方向に交互に配列されるｎ個のＮ極とｎ個のＳ極とを有し、隣り合う前記Ｎ極と前記Ｓ極との間に磁極切替わり部が形成され、
前記磁極切替わり部の個数は２ｎであり、
隣り合う前記磁極切替わり部は、周方向に３６０°／２ｎの角度で隔てられ、
ｎは１以上の整数であり、
前記中心軸に垂直な仮想平面において、前記中心軸と２ｎ個の前記磁極切替わり部のうち、少なくとも１つの磁極切替わり部とを通る第一直線と、前記中心軸から前記リング状マグネットに延びる第二直線とにより、所定の角度θがなされ、
前記リング状マグネットの表面において、前記第二直線と前記リング状マグネットとが重なる部位に第一標識が設けられ、
前記所定の角度θは、０°≦θ≦３６０°／２ｎである、ことを特徴とする。
【請求項２】
前記リング状マグネットの表面に第二標識がさらに設けられ、
前記第二標識と前記第一標識とは周方向に３６０°／２ｎの角度で隔てられ、
前記第一標識と前記第二標識とは異なる標識である、ことを特徴とする請求項１に記載のモータ。
【請求項３】
前記所定の角度θは、θ＝３６０°／４ｎであり、前記Ｎ極および前記Ｓ極のいずれか一方の磁極上にて、隣り合う前記磁極切替わり部の周方向中央に前記第一標識が設けられる、ことを特徴とする請求項１に記載のモータ。
【請求項４】
前記第二標識は、前記第一標識とは異なる磁極上にて、隣り合う前記磁極切替わり部の周方向中央に設けられることを特徴とする請求項３に記載のモータ。
【請求項５】
前記第一標識は一つである、ことを特徴とする請求項４に記載のモータ。
【請求項６】
前記所定の角度θは、θ＝０°または３６０°／２ｎであり、前記第一標識は、前記磁極切替わり部と周方向位置が一致する、ことを特徴とする請求項１に記載のモータ。
【請求項７】
前記所定の角度θ＝０°または３６０°／２ｎであり、前記第一標識および前記第二標識は、前記磁極切替わり部と周方向位置が一致する、ことを特徴とする請求項２に記載のモータ。
【請求項８】
前記第一標識はリング状マグネットの前記第一端面および前記第二端面のいずれかに位置する、ことを特徴とする請求項1ないし７のいずれかに記載のモータ。
【請求項９】
前記第一標識はリング状マグネットの第一端面および第二端面のいずれか一方から他方へ凹む凹部である、ことを特徴とする請求項８に記載のモータ。
【請求項１０】
前記第一標識は前記リング状マグネットの軸方向中央よりも上側に位置し、前記第二標識は前記リング状マグネットの軸方向中央よりも下側に位置する、ことを特徴とする請求項２、４、７のいずれかに記載のモータ。
【請求項１１】
前記第二標識は前記リング状マグネットの前記第一端面および前記第二端面のいずれか一方から他方へ凹む凹部である、ことを特徴とする請求項２、４、７のいずれかに記載のモータ。
【請求項１２】
前記第一標識は前記リング状マグネットの前記第一端面から前記第二端面側へ凹む凹部であり、前記第二標識は前記リング状マグネットの第二端面から第一端面側へ凹む凹部である、ことを特徴とする請求項２、４、７のいずれかに記載のモータ。
【請求項１３】
前記第一標識または前記第二標識は、前記リング状マグネットの表面に塗布される、ことを特徴とする請求項１または２に記載のモータ。
【請求項１４】
前記第一標識または第二標識は、前記Ｎ極と前記Ｓ極にそれぞれに形成される異なる色または模様である、ことを特徴とする請求項１または２に記載のモータ。
【請求項１５】
前記ロータホルダにはカラーホイールが取り付けられ、
前記カラーホイールは、周方向において複数の色区域および隣り合う２つの色区域の間において複数の色境界部を有し、
前記リング状マグネットの前記第一標識または第二該標識は、前記カラーホイールの色境界部と周方向位置が一致する、ことを特徴とする請求項１または２に記載のモータ。
【請求項１６】
デジタル光処理式プロジェクタであって、
前記請求項１ないし１５のいずれかに記載のカラーホイール駆動用モータを備える、ことを特徴とする。
【発明の詳細な説明】
【技術分野】
【０００１】
本発明はカラーホイール駆動用モータおよび当該モータを備えるＤＬＰ式プロジェクタ（デジタル光処理式プロジェクタ）に関する。
【背景技術】
【０００２】
従来より、映像投影システムは様々な種類が存在するが、ＤＬＰ（Digital Light Processing）（登録商標）式プロジェクタは、高輝度、高耐久性、小型である等の利点を有するため、デジタルプロジェクタの主流になっている。ＤＬＰ式プロジェクタは、カラーホイールを備えており、カラーホイールはカラーホイール駆動用モータに固定されている。ＤＬＰ式プロジェクタが稼動する際に、モータの回転位置を検出することが必要である。例えば、中国特許第１１７９３４４号公報に開示されるモータでは、インダクタによってロータマグネットの磁束を検出することにより、回転体の位置を検出する。図１および図２に示すように、当該モータは、ロータヨーク３が深さの浅いカップ状に形成され、その周辺部に一体に設けられるフランジ部３ａを有している。フランジ部３ａの一部には、所定幅の切り欠き状の窓部３ｂが形成されている。また、ロータヨーク３には、当該ロータヨーク３の中心を貫通するようにシャフト９が取り付けられている。フランジ部３ａの内周には、ロータマグネット８がリング状かつ無端状に貼着配置されている。ロータマグネット８は、周方向に亘って、全周等分割のＳ極、Ｎ極に交互着磁されている。また、ロータマグネット８の一部が窓部３ｂを通して、ロータヨーク３の外方に露出している。図３に示すように、フランジ部３ａの外周付近にインダクタ７が配置されている。そのため、当該モータのロータヨーク３が回転すると、この回転に伴って窓部３ｂを通して外方に臨むロータマグネット８が回転移動し、インダクタ７に対して離間したり、インダクタ７に接近したりする。インダクタ７は、窓部３ｂから露出するロータマグネット８から離間すると、当該ロータマグネット８の磁束を殆ど受けないため、誘起電圧が略０である。しかし、窓部３ｂに臨むロータマグネット８が接近すると、そのロータマグネット８の磁束を受け、インダクタ７の誘起電圧がその磁束の時間変化に比例する値となる。モータ回転のインデックス信号は、インダクタ７の磁束検出の出力値を処理することにより得られる。
【特許文献１】中国特許第１１７９３４４号公報
【発明の概要】
【発明が解決しようとする課題】
【０００３】
しかしながら、中国特許第１１７９３４４号公報のようなモータでは、以下の技術課題がある。当該モータでは、ロータマグネット８の一部を窓部３ｂから露出させるため、ロータヨーク３にアンバランスが生じる。また、ロータヨーク３に窓部３ｂを設けることにより、ロータマグネット８の磁束が漏えいし、モータの特性が悪化する。さらに、ロータマグネット８をロータヨーク３に固定する際に、ロータマグネット８の外周面全周に亘って接着剤を塗布することができないため、振動や騒音の悪化を引き起こす虞もある。さらには、ロータマグネット８とロータホルダ３とを組立する際に、磁極の境界分を識別するための標識をロータマグネット８に付けて、窓部３ｂから、ロータマグネット８の磁極の境界分を露出させる必要がある。そのため、組立作業の効率が低下する虞がある。また、当該方法を採用した場合、窓部３ｂから、ロータマグネット８の磁極の境界部を露出させ、当該磁極の境界部とカラーホイールの色の境界部とを一致させる必要がある。
【０００４】
したがって、上記の技術課題を解決できるモータが必要である。
【０００５】
以上、本発明は、上記の課題に対して鑑みたものであり、高特性なカラーホイール駆動用モータを提供することを目的とする。
【課題を解決するための手段】
【０００６】
以上の課題に対して、本出願の発明は、ロータホルダに窓部を設けることなく、ロータホルダの内周面に固定されたロータマグネットとは別部材であるリング状マグネットを、ロータホルダの外周面に配置する。当該リング状マグネットは周方向において極数が複数である。また、特定の磁極切替わり部を識別するために、当該リング状マグネットに標識が設けられる。
【０００７】
本発明の例示的な一つの側面に係るカラーホイール駆動用モータは、中心軸周りを回転し、前記中心軸に沿って延伸するシャフトと、前記シャフトに間接的または直接的に固定されるロータホルダと、を含む回転体と、前記ロータホルダの回転位置を検出するように前記ロータホルダの周辺に配置される磁気的位置検出機構を含む静止体と、を備える。前記モータは、前記ロータホルダの径方向外方に配置され、前記ロータホルダと共に回転するリング状マグネットを有する。前記リング状マグネットは、前記中心軸に沿い、かつ、互いに略平行な第一端面および第二端面を有する。前記リング状マグネットは、周方向に交互に配列されるｎ個のＮ極とｎ個のＳ極とを有し、隣り合う前記Ｎ極と前記Ｓ極との間に磁極切替わり部が形成される。前記磁極切替わり部の個数は２ｎである。隣り合う前記磁極切替わり部は、周方向に３６０°／２ｎの角度で隔てられ、ｎは１以上の整数である。
【０００８】
前記中心軸に垂直な仮想平面において、前記中心軸と２ｎ個の前記磁極切替わり部のうち、少なくとも１つの磁極切替わり部とを通る第一直線と、前記中心軸から前記リング状マグネットに延びる第二直線とにより、所定の角度θがなされ、前記リング状マグネットの表面において、前記第二直線と前記リング状マグネットとが重なる部位に第一標識が設けられ、前記所定の角度θは、０°≦θ≦３６０°／２ｎである。
【０００９】
好ましい一実施例では、リング状マグネットの表面に第二標識がさらに設けられ、前記第二標識と前記第一標識とは周方向に３６０°／２ｎの角度で隔てられ、前記第一標識と前記第二標識とは異なる標識である。
【００１０】
好ましい一実施例では、前記所定の角度θは、θ＝３６０°／４ｎであり、前記Ｎ極および前記Ｓ極のいずれか一方の磁極上にて、隣り合う前記磁極切替わり部の周方向中央に前記第一標識が設けられる。前記第二標識が設けられることを特徴とする請求項３に記載のモータ。
【００１１】
好ましい一実施例では、前記第二標識は、前記第一標識とは異なる磁極上にて、隣り合う前記磁極切替わり部の周方向中央に設けられる。
【００１２】
好ましい一実施例では、前記第一標識が一つである。
【００１３】
好ましい一実施例では、前記所定の角度θは、θ＝０°またはθ＝３６０°／２ｎであり、前記第一標識は、前記磁極切替わり部と周方向位置が一致する。
【００１４】
好ましい一実施例では、前記第一標識は前記リング状マグネットの前記第一端面および前記第二端面のいずれかに位置する。
【００１５】
好ましい一実施例では、前記第一標識は前記リング状マグネットの第一端面および第二端面のいずれか一方から他方へ凹む凹部である。
【００１６】
好ましい一実施例では、前記第一標識は、前記リング状マグネットの軸方向中央よりも上側に位置し、前記第二標識は前記リング状マグネットの軸方向中央よりも下側に位置する。
【００１７】
好ましい一実施例では、前記第二標識はリング状マグネットの第一端面と第二端面との一方から他方へ凹む凹部である。
【００１８】
好ましい一実施例では、前記第一標識は前記リング状マグネットの前記第一端面から前記第二端面側へ凹む凹部であり、前記第二標識は前記リング状マグネットの前記第二端面から第一端面側へ凹む凹部である。
【００１９】
好ましい一実施例では、前記第一標識または前記第二標識は前記リング状マグネットの表面に塗布される。
【００２０】
好ましい一実施例では、前記第一標識または前記第二標識は、前記Ｎ極と前記Ｓ極にそれぞれに形成される異なる色または模様である。
【００２１】
好ましい一実施例では、前記ロータホルダにはカラーホイールが取り付けられる。前記カラーホイールは、周方向において複数の色区域および隣り合う２つの色区域の間において複数の色境界部を有する。前記リング状マグネットの前記第一標識または第二該標識は、前記カラーホイールの色境界部と周方向位置が一致する。
【００２２】
本発明の例示的なその他の側面に係るデジタル光処理式プロジェクタは、前記のカラーホイール駆動用モータを備える。
【発明の効果】
【００２３】
上記のモータによれば、リング状マグネットの周方向における磁極切替わり部の位置が確定できる。そして、第一標識がＮ極およびＳ極のいずれか一方に設けられるため、第一標識と磁極切替わり部との位置関係が明白であるとき、回転方向に対して磁極の切替え（Ｎ→Ｓ或いはＳ→Ｎ）が容易に判断できる。
【００２４】
上記のデジタル光処理式プロジェクタは、モータが高性能であり、プロジェクタの投影性能が向上する。
【図面の簡単な説明】
【００２５】
【図１】図１は、中国特許第１１７９３４４号公報に開示されるモータのロータヨークの一部を示す断面図である。
【図２】図２は、図１のロータヨークの内部を示す図である。
【図３】図３は、図１のモータのロータヨークとインダクタのコイルとの配置位置を示す図である。
【図４】図４は、本発明に関するモータを示す側面図である。
【図５】図５は、図４のモータを示す平面図である。
【図６】図６は、図４のモータの回転体の一部を示す断面図である。
【図７】図７は、図４のモータの静止体を示す断面図である。
【図８】図８は、本発明の第一実施例に関するリング状マグネットを示す斜視図である。
【図９】図９は、図８のリング状マグネットを示す平面図である。
【図１０】図１０は、図８および図９のリング状マグネットの変形例を示す図である。
【図１１】図１１は、本発明の第二実施例に関するリング状マグネットを示す斜視図である。
【図１２】図１２は、図１１のリング状マグネットの変形例を示す図である。
【図１３】図１３は、好ましい実施例を示す図である。
【発明を実施するための形態】
【００２６】
本明細書では、図面を参照しながら本発明に関するモータの実施例を説明する。図面では、同じ部材或いは構造に同じ記号を付する。図面は特定の縮尺で示すものではない。下記の実施例および図面は、単に説明の便宜上用いられ、本発明の権利範囲は、下記の実施例に限定されない。本発明の権利範囲は、特許請求の範囲により解釈される。
【００２７】
本明細書に記載の上下および内外は、単に図面に基づいて実施例を説明するために定義され、本発明の主旨を限定しない。モータを実機に搭載する際、当該技術分野に属する一般的な技術者は、本明細書の記述によって、様々な変更が可能である。
【００２８】
図４は本発明に関するモータを示す側面図である。図５は図４のモータを示す平面図である。図６は図４のモータの回転体の一部を示す断面図である。図７は図４のモータの静止体を示す断面図である。本発明に関するモータ１は、回転体２と静止体３とを備える。回転体２は、上下方向に伸びる中心軸Ｉ−Ｉ’を中心として回転する。静止体３は、回転体２に対して、相対的に静止する。図６に示すように、回転体２は、シャフト４と、ロータホルダ５と、ロータマグネット６とを備える。シャフト４は中心軸Ｉ−Ｉ’に沿って延伸する。ロータホルダ５は、間接的または直接的にシャフト４に固定される。ロータホルダ５は、円筒状の側壁と蓋部とを有する。ロータホルダ５の蓋部は、中心軸Ｉ−Ｉ’に対して略垂直な方向に広がる。ロータホルダ５は、略円板状である。ロータホルダ５の側壁は、蓋部の外縁部から下方に向かって伸びる。すなわち、ロータホルダ５は有蓋略円筒状である。本実施例では、シャフト４は、ロータホルダ５の略中央部に固定される。ロータマグネット６はロータホルダ５の側壁の内周面に固定される。ロータマグネット６は、略円環状である。なお、ロータマグネット６は、一部材により構成されてもよいし、複数の円弧状のマグネットを周方向に配置することにより構成されてもよい。図７に示すように、静止体３は、軸受部７と、ステータ８と、磁気的位置検出機構９（図５に示す）とを備える。軸受部７は軸孔７ａを有する。シャフト４は、軸受部７の軸孔７ａの内部に配置される。軸受部７は、シャフト４を回転可能に支持する。ステータ８は、ロータホルダ５の側壁および蓋部により覆われる。すなわち、ステータ８は、ロータマグネット６よりも径方向内側に位置する。また、ステータ８はロータマグネット６と径方向に対向する。モータ１の駆動時には、ロータマグネット６とステータ８との間にて回転力が発生する。磁気的位置検出機構９はロータホルダ５の周辺に配置される。具体的には、磁気的位置検出機構９は、リング状マグネット１０の近傍かつリング状マグネット１０よりも径方向外方に配置される。なお、リング状マグネット１０については後述する。磁気的位置検出機構９はロータホルダ５の回転位置を検出する。磁気的位置検出機構９はホールＩＣである。モータ１における、上記の構造は、当該技術分野に属する一般的な技術者に対して周知事項であるため、具体的な説明を省略する。
【００２９】
本発明に関するモータ１の構造では、ロータホルダ５の側壁に窓部を有しない。すなわち、ロータマグネット６の外周面は露出しない。モータ１では、ロータホルダ５の側壁の外周面に、ロータホルダ５と共に回転するリング状マグネット１０が配置される。そして、磁気的位置検出機構９は、リング状マグネット１０から受ける磁束がロータホルダ６の回転に伴って変化し、リング状マグネット１０の位置を関数として誘起電圧を出力する。当該リング状マグネット１０は、周方向において少なくとも１つのＮ極と１つのＳ極とが交互に配列される。本発明は前述の技術的思想に基づいて創作される。
【００３０】
図８は、本発明の第一実施例に関するリング状マグネットを示す斜視図である。図９は、図８のリング状マグネットを示す平面図である。リング状マグネット１０は、上下方向に伸びる中心軸を中心とするリング状である。また、リング状マグネット１０は、当該中心軸に沿う第一端面１２および第二端面１４を有する。第二端面１４は、第一端面１２と略平行である。第一端面１２および第二端面１４は、当該中心軸を中心とする略リング状の面である。モータ１にリング状マグネット１０が取り付けられた際に、当該中心軸は、回転体２の中心軸Ｉ−Ｉ’と一致もしくは略一致する。図面に示すように、リング状マグネット１０は１つのＮ極と１つのＳ極とを有する。リング状マグネット１０のＮ極とＳ極との間には、隣り合う２つの磁極切替わり部１６，１８が形成される。すなわち、磁極切替わり部（Ｎ→Ｓ）１６および磁極切替わり部（Ｓ→Ｎ）１８は、周方向に１８０°の間隔で位置する。回転位置を高精度に検出するためには、異なる磁極および異なる磁極切替わり部を識別することが必要である。そのため、リング状マグネット１０のＮ極（或いはＳ極）において、隣り合う磁極切替わり部１６，１８の周方向中央に第一標識１７が設けられる。図面に示すように、第一標識１７がＮ極に設けられる。当該リング状マグネット１０をロータホルダの外周面に取り付ける時、第一標識１７を周方向中央とする磁極がＮ極であることが明白である。さらに、磁極の個数も明白であるため、作業者はもう１つの磁極がＳであることが容易に判断でき、磁極切替わり部（Ｎ→Ｓ）１６と磁極切替わり部（Ｓ→Ｎ）１８も容易に判断できる。好ましい一実施例では、第一標識１７は、リング状マグネット１０の第一端面１２および第二端面１４いずれかの一方から他方へ凹む凹部である。なお、リング状マグネット１０のＳ極（或いはＮ極）において、隣り合う磁極切替わり部１６，１８の間に第二標識１９が設けられる。第二標識１９は、第一標識１７と異なる標識である。第二標識がＳ極（或いはＮ極）において隣り合う磁極切替わり部（Ｎ→Ｓ）１６と磁極切替わり部（Ｓ→Ｎ）１８の周方向中央に設置してもよく、Ｓ極（或いはＮ極）において周方向のその他の位置に配置してもよい。好ましい一実施例では、第二標識１９は、リング状マグネット１０の第一端面１２および第二端面１４のいずれか一方から他方へ凹む凹部である。好ましい一実施例では、第一標識１７がリング状マグネット１０の第一端面１２および第二端面１４のいずれか一方から他方へ凹む凹部であり、かつ、第二標識１９がリング状マグネット１０の第一端面１２および第二端面１４のいずれか一方から他方へ凹む凹部である。ただし、第一標識１７と第二標識１９とは、異なる端面に設けられる。製造工程では、第一標識１７と第二標識１９とが異なる端面に設けられる場合、着磁工程では、凹部により、着磁治具に対して、リング状のマグネット１０の周方向の位置決めが容易にできる。そのため、凹部と磁極切替わり部１６，１８との位置関係を高精度に着磁することができる。また、リング状マグネット１０をモータ１に取り付けるとき、前記凹部に対応した凸部が設けられた取り付け治具を用いることにより、リング状マグネットを���易に定位できるため、作業効率が向上できる。当然のことながら、第一標識１７がＳ極に設けられてもよく、第二標識１９がＮ極に設けられてもよい。
【００３１】
図１０は、図８と図９のリング状マグネットの変形例を示す図である。リング状マグネット１０は、周方向に交互に配列される４つの磁極（Ｎ極およびＳ極）を有する。すなわち、リング状マグネット１０には、２つのＮ極と２つのＳ極を有し、４つの磁極切替わり部が形成される。換言すれば、リング状マグネット１０は、２つの磁極切替わり部（Ｎ→Ｓ）１６と、２つの磁極切替わり部（Ｓ→Ｎ）１８とを有する。隣り合う磁極切替わり部１６，１８の間隔は９０°である。リング状マグネット１０は、各Ｎ極（或いはＳ極）ごとに、隣り合う磁極切替わり部１６，１８の周方向中央に第一標識１７が設けられる。図６に示すように、リング状マグネット１０は、Ｎ極において２つの第一標識１７が設けられる。好ましい一実施例では、第一標識１７は、リング状マグネット１０の第一端面１２および第二端面１４のいずれか一方から他方へ凹む凹部である。なお、リング状マグネット１０は、各Ｓ極（或いはＮ極）ごとに、隣り合う磁極切替わり部の間に第二標識１９が設けられる。第一標識１７と第二標識１９とは、異なる標識である。第二標識１９は、Ｓ極（或いはＮ極）において隣り合う磁極切替わり部１６，１８の周方向中央に設置してもよく、Ｓ極（或いはＮ極）において周方向のその他の位置に配置してもよい。好ましい一実施例では、第二標識１９は、リング状マグネット１０の第一端面１２および第二端面１４のいずれか一方から他方へ凹む凹部である。最も好ましい一実施例では、第一標識１７がリング状マグネット１０の第一端面１２および第二端面１４のいずれか一方から他方へ凹む凹部であり、かつ、第二標識１９がリング状マグネット１０の第一端面１２および第二端面１４のいずれか一方から他方へ凹む凹部である。ただし、第一標識１７と第二標識１９とは、異なる端面に設けられる。
【００３２】
当然のことながら、第一標識１７がＳ極に設けられてもよく、第二標識１９がＮ極に設けられてもよい。リング状マグネット１０は、交互に配列されるｎ個のＮ極とｎ個のＳ極とを有し、２ｎ個の磁極切替わり部が形成される。また、隣り合う磁極切替わり部の間隔が３６０°／２ｎであり、ｎ≧１、ｎが整数である。
【００３３】
図１１は本発明の第二実施例に関するリング状マグネットを示す斜視図である。リング状マグネット１００は、中心軸Ｏ−Ｏ’を中心とするリング状である。また、リング状マグネット１００は、当該中心軸Ｏ−Ｏ’に沿う第一端面１２０および第二端面１４０を有する。第二端面１４０は、第一端面１２０と略平行である。第一端面１２０および第二端面１４０は、当該中心軸Ｏ−Ｏ’を中心とする略リング状の面である。図面に示すように、リング状マグネット１００が一つのＮ極と一つのＳ極とを有し、Ｎ極とＳ極との間に隣り合う２つの磁極切替わり部１６０，１８０が形成される。これらの磁極切替わり部１６０，１８０は、周方向に１８０°（３６０°／２ｎ、ｎ＝１）の間隔で位置する。リング状マグネット１００の中心軸Ｏ−Ｏ’と垂直な仮想平面において、中心軸Ｏ−Ｏ’と磁極切替わり部１６０とを通る第一直線Ａ−Ａ’は、中心軸Ｏ−Ｏ’からリング状マグネット１００へ延伸する第二直線Ｂ−Ｂ’と所定の角度θをなす。リング状マグネットの表面において、第二直線Ｂ−Ｂ’とリング状マグネット１００とが重なり合う部位に第一標識１７０が設けられる。なお所定の角度θは、０°≦θ≦１８０°である。図１１に示すように、第一標識１７０と、磁極切替わり部１６０との間隔は、所定の角度θであり、さらに、第一標識１７０と磁極切替わり部１８０との間隔は、１８０°−θである。
【００３４】
なお、リング状マグネット１００はさらに第二標識１９０を有する。第二標識１９０は、Ｓ極において、第一標識１７０と周方向に１８０°隔たる。第一標識１７０と第二標識１９０との間隔は、周方向に３６０°／２ｎであり、ｎはＮ極の個数（すなわち、Ｓ極の個数）であり、ｎ≧１、ｎは整数である。第一標識１７０と第二標識１９０とは異なる標識である。第一標識がＮ極およびＳ極のいずれか一方に設けられるため、回転方向に対して磁極の切替わり（Ｎ→Ｓ或いはＳ→Ｎ）が容易に識別できる。
【００３５】
図１２は図１１のリング状マグネットの変形例を示す図である。リング状マグネット１００は、周方向に交互に配列される４つのＮ極とＳ極を有する。すなわち、リング状マグネット１００は、２つのＮ極と２つのＳ極とを有し、４つの磁極切替わり部１６０，１８０が形成される。隣り合う磁極切替わり部１６，１８の間隔は９０°である。リング状マグネット１００の中心軸Ｏ−Ｏ’と垂直な仮想平面において、中心軸Ｏ−Ｏ’と１つの磁極切替わり部１６０とを通る第一直線Ａ−Ａ’は、中心軸からリング状マグネット１００へ延伸する第二直線Ｂ−Ｂ’と所定の角度θをなす。リング状マグネットの表面において、第二直線Ｂ−Ｂ’とリング状マグネット１００とが重なり合う部位に第一標識１７０が設けられる。なお、所定の角度θは、０°≦θ≦９０°である。図１２に示すように、第一標識１７０と、磁極切替わり部１６０との間隔は、所定の角度θであり、さらに、最も近い磁極切替わり部１８０との間隔は、９０°−θである。
【００３６】
なお、リング状マグネット１００はさらに第二標識１９０有する。第二標識１９０は、Ｓ極において、第一標識１７０と周方向に３６０°／２ｎ隔たる。ｎはＮ極の個数（すなわち、Ｓ極の個数）であり、ｎ≧１、ｎが整数である。図１２では、ｎ＝２である。そのため、図１２の第一標識１７０と第二標識１９０との間隔は、周方向に９０°である。この角度間隔により特定の方向に沿ってＮ極とＳ極ごとに第一標識１７０と第二標識が設けられる。第一標識１７０と第二標識１９０とは、異なる標識である。第一標識がＮ極およびＳ極のいずれか一方に設けられ、また、標識の間隔が明白であるため、回転方向に対して磁極の切替わり（Ｎ→Ｓ或いはＳ→Ｎ）が容易に判断できる。
【００３７】
上記の具体的な実施例によると、図面に示すように、第一直線Ａ−Ａが１つの磁極切換え部１６０を通り、かつ第二直線Ｂ−Ｂ’がリング状マグネット１００のＮ極と重なる。しかし、第一直線Ａ−Ａが１つの磁極切換え部１８０を通ってもよく、または第二直線Ｂ−Ｂがリング状マグネットのＮ極と重なってもよい。すなわち、第一標識１７０がＳ極に設けられてもよく、第二標識１９０がＮ極に設けられてもよい。すなわち、異なる磁極に標識が設けられてもよい。
【００３８】
本発明に関する第二実施例のリング状マグネットは、ｎ個のＮ極とｎ個のＳ極とを有し、２ｎ個の磁極切替わり部が形成される。すなわち、ｎ個のＮ→Ｓ磁極切替わり部１６０およびｎ個のＳ→Ｎ磁極切替わり部１８０を有し、隣り合う磁極切替わり部１６０，１８０の間隔は３６０°／２ｎである。なお、ｎ≧１、ｎは整数である。リング状マグネットの中心軸と垂直な仮想平面において、中心軸Ｏ−Ｏ’と１つの磁極切替わり部１６０とを通る第一直線Ａ−Ａ’は、中心軸Ｏ−Ｏ’からリング状マグネット１００へ延伸する第二直線Ｂ−Ｂ’と所定の角度θをなす。そして、リング状マグネット１００の表面において、第二直線Ｂ−Ｂ’とリング状マグネット１００と重なり合う部位に第一標識１７０が設けられる。なお、所定の角度θは、０°≦θ≦３６０°／２ｎである。さらに、リング状マグネット１００の表面には、第二標識１９０が設けられる。第二標識１９０と第一標識１７０との間隔は、周方向に３６０°／２ｎである。第一標識１７０と第二標識１９０とは異なる標識である。
【００３９】
図８、図９および１０に記述の第一実施例およびその変形例では、第一標識１７が隣り合う磁極切替わり部１６０，１８０の周方向中央に位置するため、第一実施例は第二実施例の特別な実施例と理解すべきである。このとき、隣り合う磁極切替わり部１６０，１８０の間隔は３６０°／２ｎであり、所定の角度θは、θ＝３６０°／４ｎである。第一標識１７は、隣り合う磁極切替わり部の周方向中央に位置する。
【００４０】
好ましい一実施例では、第一標識１７０がリング状マグネット１００の軸方向中央よりも上側に位置し、第二標識１９０がリング状マグネット１００の軸方向中央よりも下側に位置する。図１１に示すように、θ＝０°或いはθ＝３６０°／２ｎの時、第一標識１７０および第二標識１９０は、磁極切替わり部１６０，１８０と周方向位置が同じである。好ましい一実施例では、第一標識１７０および第二標識１９０がリング状マグネット１００の第一端面１２０および第二端面１４０のいずれか一方に位置する。より好ましい実施例では、第一標識１７０および第二標識１９０は、リング状マグネット１００の第一端面１２０および第二端面１４０のいずれか一方から他方へ凹む凹部である。最も好ましい実施例では、第一標識１７０はリング状マグネット１００の第一端面１２０から第二端面１４０側へ凹む凹部であり、第二標識１９０はリング状マグネット１００の第二端面１４０から第一端面１２０側へ凹む凹部である。すなわち、第一標識１７０と第二標識１９０とは異なる端面に位置する。（未表示、図８に示すように）。
【００４１】
図１３に示すように、第一標識１７０と第二標識１９０とが異なる端面に位置し、また磁極切替わり部１６０，１８０と周方向位置が同じである場合、リング状マグネット１００の取り付けが非常に容易になる。このとき、取り付け治具に、前記凹部に対応する凸部を設けて、取り付け治具に対してリング状マグネット１００の位置を定める。このとき、いずれかの凹部に対して、凹部の周方向両側の磁極の相対位置関係がリング状マグネット１００の上下方向の取り付け方向により変わらなく、リング状マグネットを取り付けるとき、リング状マグネットの取り付け向きを留意する必要がないので、リング状マグネットの取り付けがさらに容易になる。
【００４２】
また、第一標識１７０および第二標識１９０は、ペンなどによりリング状マグネットの表面に塗布されてもよい。そのほか、第一標識１７０および第二標識１９０は、Ｎ極とＳ極とに異なる色或いは模様を塗布して、色或いは模様が異なるように構成される。
【００４３】
本発明に関するモータは、ＤＬＰ式プロジェクタに適用され、ＤＰＬ式プロジェクタは周方向において複数の色を有するカラーホイールを備える。前記カラーホイールは前記ロータホルダに取り付けられる。カラーホイールは、周方向において複数の色区域および２つの色区域の間に設けられる複数の色境界部を有する。前記リング状マグネットの前記第一標識または前記第二標識は、カラーホイールの前記色境界部と周方向位置が一致する。
【００４４】
本発明に関するモータは必ずしもすべての前述の特徴を有さず、これらの特徴が任意に組み合わせられてもよい。
【００４５】
本発明は下記の利点がある。
【００４６】
本発明に関するカラーホイール駆動用モータは回転体と静止体とを備える。前記回転体は、中心軸周りを回転し、前記中心軸に沿って延伸するシャフトと、前記シャフトに間接的または直接的に固定されるロータホルダとを含む。前記静止体は、前記ロータホルダの回転位置を検出するように前記ロータホルダの周辺に配置される磁気的位置検出機構を含む。前記モータは、前記ロータホルダの径方向外方に配置され、前記ロータホルダと共に回転するリング状マグネットを有する。前記リング状マグネットは、前記中心軸に沿う第一端面および第二端面を有する。第二端面は、第一端面と対向する。前記リング状マグネットは、周方向に交互に配列されるｎ個のＮ極とｎ個のＳ極とを有し、隣り合うＮ極とＳ極の間に磁極切替わり部が形成される。前記磁極切替わり部の個数は２ｎである。隣り合う前記磁極切替わり部は、周方向に３６０°／２ｎの角度で隔てられ、ｎは１以上の整数である。
【００４７】
前記中心軸に垂直な仮想平面において、前記中心軸と前記２ｎ個磁極切替わり部のうち、少なくとも１つの磁極切替わり部とを通る第一直線と、前記中心軸からリング状マグネットに延びる第二直線とにより、所定の角度θがなされる。前記第二直線と前記リング状マグネットとが重なる部位における前記リング状マグネットの表面に第一標識が設けられる。前記所定の角度θは、０°≦θ≦３６０°／２ｎである。このようにすれば、リング状マグネットにおいて磁極切替わり部が確定できる。また、第一標識がＮ極およびＳ極のいずれか一方に設けられるため、第一標識と磁極切替わり部との位置関係が明白であるとき、回転方向に対して磁極の切替わり（Ｎ→Ｓ或いはＳ→Ｎ）が容易に判断できる。
【００４８】
好ましい一実施例では、リング状マグネットの表面に第二標識がさらに設けられ、前記第二標識と前記第一標識とは周方向に３６０°／２ｎの角度で隔てられ、前記第一標識と前記第二標識とは異なる標識である。第一標識と第二標識との位置関係が明白であるので、第一標識と第二標識との位置が容易に識別でき、リング状マグネットの取り付け工数が低減できる。
【００４９】
好ましい一実施例では、前記所定の角度θは、θ＝３６０°／４ｎであり、Ｎ極およびＳ極のいずれか一方の磁極上にて、隣り合う前記磁極切替わり部の周方向中央に前記第一標識が設けられる。第一標識がＮ極およびＳ極のいずれか一方に設けられるため、第一標識と磁極切替わり部との位置関係が明白であるとき、回転方向に対して磁極の切替わり（Ｎ→Ｓ或いはＳ→Ｎ）が容易に判断できる。
【００５０】
好ましい一実施例では、前記第二標識は、前記第一標識とは異なる磁極上にて、隣り合う前記磁極切替わり部の周方向中央に設けられている。このようにすれば、回転方向に対して磁極の切替わりが目視で容易に判断できる。
【００５１】
好ましい一実施例では、前記第一標識は一つである。このようにすれば、回転方向に対して磁極の切替わりが目視で容易に判断できる。
【００５２】
好ましい一実施例では、前記所定の角度θは、θ＝０°またはθ＝３６０°／２ｎであり、前記第一標識は、前記磁極切替わり部と周方向位置が一致する。第二標識を有する場合、前記所定の角度θは、θ＝０°またはθ＝３６０°／２ｎであるので、前記第一標識および第二標識は、前記磁極切替わり部と周方向位置が一致する。このようにすれば、磁極の切替わりの位置が容易に判断できる。
【００５３】
好ましい一実施例では、前記第一標識はリング状マグネットの第一端面および第二端面のいずれかに設けられる。これにより、リング状マグネットの取り付け方向が判断され、リング状マグネットがロータホルダに容易に固定される。
【００５４】
好ましい一実施例では、前記第一標識はリング状マグネットの第一端面および第二端面のいずれか一方から他方へ凹む凹部である。リング状マグネットの成形工程で、当該凹部が一回に形成できる。また、リング状マグネットを取り付けるとき、前記凹部に対応する凸部が設けられた取り付け治具を用いることにより、取り付け治具に対するリング状マグネットの位置を容易に合わせることができ、作業効率が向上できる。
【００５５】
好ましい一実施例では、前記第一標識はリング状マグネットの軸方向中央よりも上側に位置し、前記第二標識はリング状マグネットの軸方向中央よりも下側に位置する。
【００５６】
好ましい一実施例では、前記第二標識はリング状マグネットの第一端面および第二端面のいずれか一方から他方へ凹む凹部である。そのため、リング状マグネットの成形工程で、第二標識を容易に形成できる。また、リング状マグネットを取り付けるとき、取り付け治具に、前記凹部に対応する凸部が設けて、取り付け治具に対してリング状マグネットの位置を容易に定められ、作業効率が向上する。
【００５７】
好ましい一実施例では、前記第一標識はリング状マグネットの第一端面から第二端面側へ凹む凹部であり、前記第二標識はリング状マグネットの第二端面から第一端面側へ凹む凹部である。リング状マグネットの成形工程で、前記凹部が容易に形成できる。また、リング状マグネットをモータに取り付けるとき、前記凹部に対応した凸部が設けられた取り付け治具を用いることにより、リング状マグネットを容易に定位できるため、作業効率が向上できる。そして、θ＝０°或いはθ＝３６０°／２ｎ時、第一標識１７０および第二標識１９０が磁極切替わり部１６０および１８０と周方向の同じところに位置する。リング状マグネットの取り付け方向が限定しなく、作業効率が向上できる。
【００５８】
好ましい一実施例では、前記第一標識または第二標識はリング状マグネットの表面に塗布される。このようにすれば、標識を容易に設けることができる。
【００５９】
好ましい一実施例では、前記第一標識または第二標識はＮ極とＳ極にそれぞれに形成される異なる色または模様である。磁極切替わり部が目視で容易に判断できる。
【００６０】
好ましい一実施例では、前記ロータホルダにカラーホイールが取り付けられる。前記カラーホイールは周方向において複数の色区域および隣り合う２つの色区域の間において複数の色境界部を有し、かつ前記リング状マグネットの前記第一標識または第二該標識と前記カラーホイールの色境界部とが周方向における位置合わせる。このようにすれば、磁極切替わり部および色境界部の位置を容易に合わせることができる。
【００６１】
本発明に関するデジタル光処理式プロジェクタは前述のいずれかのカラーホイール駆動用モータを備える。このようなデジタル光処理式プロジェクタのモータは高性能であり、プロジェクタの投影性能が向上する。
【産業上の利用可能性】
【００６２】
本発明は、カラーホイール駆動用モータおよび前記カラーホイール駆動用モータを備えるデジタル光処理式プロジェクタに利用することができる。
【符号の説明】
【００６３】
１        モータ
２        回転体
３        静止体
４        シャフト
５        ロータホルダ
６        ロータマグネット
７        軸受部
８        ステータ
９        磁気的位置検出機構
１０      リング状マグネット
１２      第一端面
１４      第二端面
１６      磁極切替わり部（Ｎ→Ｓ）
１７      第一標識
１８      磁極切替わり部（Ｓ→Ｎ）
１９      第二標識
【図１】
2014050314.tif 000003
【図２】
2014050314.tif 000004
【図３】
2014050314.tif 000005
【図４】
2014050314.tif 000006
【図５】
2014050314.tif 000007
【図６】
2014050314.tif 000008
【図７】
2014050314.tif 000009
【図８】
2014050314.tif 000010
【図９】
2014050314.tif 000011
【図１０】
2014050314.tif 000012
【図１１】
2014050314.tif 000013
【図１２】
2014050314.tif 000014
【図１３】
2014050314.tif 000015